(57)【要約】【課題】筐体に筒構造を円滑に保持させ易くて筒構造の脱落防止を容易に実行でき、施工性を向上できる照明装置を提供すること。【解決手段】照明装置が、凹部を有する内周面を含む筐体と、筐体内に配置される光源を備えるようにする。また、照明装置が、円筒部６４ａ、及びＲ方向に弾性変形可能であって円筒部６４ａからＲ方向外方に突出して凹部に嵌り込む１以上の突出部７０を有する筒構造６５を備える。筒構造６５の少なくとも一部は筐体内に収容される。筒構造６５は、筒状部材６４と、リング部材６７を含んでもよい。【選択図】図９
2020123531.tif 000002
【特許請求の範囲】
【請求項１】
凹部を有する内周面を含む筐体と、
前記筐体内に配置される光源と、
筒状部、及び径方向に弾性変形可能であって前記筒状部から前記径方向の外方に突出して前記凹部に嵌り込んでいる１以上の突出部を有し、少なくとも一部が前記筐体内に収容される筒構造と、
を備える照明装置。
【請求項２】
前記筒構造が、
前記径方向に延びる２以上の貫通孔を有する筒状部材と、
周方向に延在する３以上の円弧状部、及び前記３以上の円弧状部において前記周方向に隣り合う一対の端部間を連結すると共に略Ｕ字形状を有して前記円弧状部から前記径方向の外方に突出する２以上の凸部を含み、前記周方向の一箇所に間隙が存在するリング部材と、を有し、
前記各凸部が、前記貫通孔を突き抜けており、
前記突出部が、前記凸部において前記貫通孔から前記径方向の外方側に突出している部分に含まれる、請求項１に記載の照明装置。
【請求項３】
前記筒構造が、前記筒状部及び前記突出部を含む一体の筒状部材に含まれ、
前記筒状部は、前記周方向に延在する貫通孔を有し、
前記筒状部材には、前記筒状部から突出すると共に前記径方向から見たときに先端部が前記貫通孔に重なる周方向突出部が含まれ、
前記突出部は、前記先端部に含まれる、請求項１に記載の照明装置。
【請求項４】
前記筐体が、前記光源から出射される出射光の光軸方向における前記光源側とは反対側の端から前記光軸方向の前記光源側に行くにしたがって前記径方向の内方側に傾斜する傾斜面を有する１以上の傾斜凹部を有し、
前記１以上の突出部が存在する前記周方向の範囲が前記１以上の傾斜凹部が存在する前記周方向の範囲に含まれるように前記筒構造を前記筐体の前記光軸方向の片側に配置可能である、請求項１乃至４のいずれか１つに記載の照明装置。
【請求項５】
外力が作用していない状態の前記突出部の最大外径が、前記傾斜凹部の最大内径よりも小さいと共に、前記傾斜凹部の最小内径よりも大きい、請求項４に記載の照明装置。
【請求項６】
外力が作用していない状態の前記突出部の最大外径が、前記筐体の前記凹部における最大内径以上である、請求項１乃至５のいずれか１つに記載の照明装置。
【請求項７】
外力が作用していない状態の前記突出部の最大外径が、前記筐体の前記凹部における最大内径よりも小さい、請求項１乃至５のいずれか１つに記載の照明装置。
【請求項８】
前記筒構造に保持されている光学部材を備える、請求項１乃至７のいずれか１つに記載の照明装置。
【請求項９】
レンズを含む光学ブロックを備え、
前記凹部が周方向に延在する溝であって、前記突出部の前記凹部内での前記周方向の位置が変動可能であり、前記筒構造が、前記光源から出射される出射光の光軸方向の位置が略変わらずに前記筐体に対して回転可能になっている、請求項１乃至８のいずれか１つに記載の照明装置。
【請求項１０】
前記光学ブロックは、前記筐体に対する相対回転が制限され、
前記筒構造は、前記光軸方向に対して傾斜する傾斜溝を有し、
前記光学ブロックは、前記傾斜溝に嵌り込んで前記筒構造が前記筐体に対して回転すると前記傾斜溝内における存在位置が変動する嵌合部を有する、請求項９に記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、筒状部を含む筐体と、筐体内に配置される光源と、筐体内の光出射側にねじ止めされる筒状の反射部材を備える。
【先行技術文献】
【特許文献】
【０００３】
【特許文献１】特開２０１６−２０７３６９号公報
【発明の概要】
【発明が解決しようとする課題】
【０００４】
上記照明装置では、反射部材がねじ止めされるので筐体に対する反射部材の正確な位置合わせや、位置合わせ状態での筐体及び反射部材の保持が必要になり、反射部材の固定を円滑に行いにくい。更には、照明装置には、筐体に対してレンズを回転させて配光を変更するものが存在する。このような構造の場合、例えば、筐体の内周面に周方向に延在する溝を設け、レンズを保持するレンズホルダの外周側に経方向外方に突出する突起を設ける。そして、突起を溝内に収容し、突起が溝内を周方向に移動することで、レンズホルダが筐体に対して周方向に移動する。このような構造では、突起を溝内に収容するため、筐体を分割構造にする必要があり、筐体を構成するのに複数の部材をねじ止め等で一体にする必要がある。したがって、筐体に対して回転する部材を筐体に固定する場合、特に施工を円滑に行いにくく、美観も良好なものにしにくくなる。
【０００５】
そこで、本開示の目的は、筐体に筒構造を円滑に保持させ易くて筒構造の脱落防止を容易に実行でき、施工性を向上できる照明装置を提供することにある。
【課題を解決するための手段】
【０００６】
上記課題を解決するため、本開示に係る照明装置は、凹部を有する内周面を含む筐体と、筐体内に配置される光源と、筒状部、及び径方向に弾性変形可能であって筒状部から径方向の外方に突出して凹部に嵌り込んでいる１以上の突出部を有し、少なくとも一部が筐体内に収容される筒構造と、を備える。
【発明の効果】
【０００７】
本開示に係る照明装置によれば、筐体に筒構造を円滑に保持させ易くて筒構造の脱落防止を容易に実行でき、施工性を向上できる。
【図面の簡単な説明】
【０００８】
【図１】本開示の一実施形態に係る照明装置の斜視図である。
【図２】上記照明装置の本体部の主要部の分解斜視図である。
【図３】上記照明装置の筐体を光出射側から見たときの斜視図である。
【図４】上記照明装置の光源アッセンブリの斜視図である。
【図５】上記光源アッセンブリから固定レンズ及びレンズ取付部材を取り外した状態を示す斜視図であり、光源が視認可能になっている状態を示す斜視図である。
【図６】上記照明装置の移動レンズアッセンブリの斜視図である。
【図７】上記移動レンズアッセンブリの主要部の分解斜視図である。
【図８】上記照明装置の光学ブロックの分解斜視図であり、レンズホルダと、移動レンズを示す拡大斜視図である。
【図９】筒構造の斜視図である。
【図１０】上記照明装置のリング部材の平面図である。
【図１１】筐体の光出射側の端部を表す斜視図である。
【図１２】筐体の光出射側の端部の一部の断面図である。
【図１３】筐体に対する筒構造の嵌め込みについて説明する図である。
【図１４】照明装置の一部の模式断面図である。
【図１５】変形例の筒状部材の斜視図である。
【図１６】筐体に対する変形例の筒構造の嵌め込みについて説明する図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、図面、及び以下の説明において、Ｒ方向は、筐体３０の径方向であり、移動レンズ６３（図８参照）の径方向に一致する。また、θ方向は、筐体３０の周方向であり、移動レンズ６３の径方向に一致する。また、Ｚ方向は、光軸方向であり、筐体３０の高さ方向に一致し、また、移動レンズ６３の中心軸の延在方向にも一致する。Ｒ方向、θ方向、及びＺ方向は、互いに直交する。また、以下の説明では、光軸方向の光出射側とは反対側を単に光出射側とは反対側といい、光軸方向の光出射側を単に光出射側という。なお、光軸方向は、鉛直方向と一致してもよいが、必ずしも鉛直方向と一致する必要はない。また、以下で説明する傾斜溝を、Ｚ方向に対して傾斜すると共に互いに対向する一対の内側壁面を有する構造であって、一対の内側壁面の間に位置する嵌合部の少なくとも一部を一対の内側壁面でガイドすることで、嵌合部が、一対の内側壁面の延在方向に沿って移動することを可能とする構造として定義する。したがって、傾斜溝は、底部が存在する構造でもよいが、以下で説明する傾斜溝６４ｃのように、光軸方向に対して傾斜する細長い長孔形状を有する貫通孔の構造を有して、光学ブロック（レンズアッセンブリ）の側壁を厚さ方向に貫通してもよい。また、以下で説明される構成要素のうち、最上位概念を示す独立請求項に記載されていない構成要素については、任意の構成要素であり、必須の構成要素ではない。
【００１０】
図１は、本開示の一実施形態に係る照明装置１の斜視図である。この照明装置１は、所謂スポットライトであり、取付部を兼ねた電源部５と、支持部１０と、本体部１５を備える。電源部５は、図示しない配線ダクトに取り付けられる。電源部５は、収容部６と、収容部６内に収容された電源回路（図示せず）を有する。電源回路には、商用電源等の外部電源からの交流電力が配線ダクトを介して供給される。電源回路は、例えば、供給された交流電力に整流処理や平滑化を施すことで交流電力を直流電力に変換し、変換後の直流電力を後述の光源に供給する。また、詳述しないが、支持部１０は、例えば、長尺形状の収容部６の長手方向の片側端部に取り付けられ、該長手方向に略直交する方向に延びる。本体部１５は、光源４３（図５参照）を内蔵する。本体部１５は、光源４３から出射される出射光の光軸方向を変更可能に支持部１０に取り付けられる。
【００１１】
なお、本開示の照明装置は、スポットライトに限らず如何なる灯具でもよく、例えば、ダウンライトでもよい。したがって、取付部は、図１に示すような略直方体の長尺形状でなくてもよく、建物の天井に設けられた埋込孔に係止する取付ばねでもよい。取付部は、建物等に取り付け可能な構造であれが如何なる形状でもよい。
【００１２】
図２は、本体部１５の主要部２０の分解斜視図である。図２に示すように、主要部２０は、筐体３０、光源アッセンブリ４０、移動レンズアッセンブリ６０、及びフード９５を備える。光源アッセンブリ４０は、筐体３０内にねじ止めされ、移動レンズアッセンブリ６０は、筐体３０に対して回転可能に筐体３０に取り付けられる。フード９５は、筒状の部材で、移動レンズアッセンブリ６０に図示しないばね部材を用いて係止される。フード９５は、出射光の照射領域を制限する役割等を担う。以後、光源アッセンブリ４０と移動レンズアッセンブリ６０の構造と、その取り付け方法について詳細に説明し、フード９５の取付方法について簡単に述べる。
【００１３】
図３は、筐体３０を光出射側から見たときの斜視図である。図３に示すように、筐体３０は、光出射側が開口する筒状部３１を有し、その主面３２（光出射側の端面）に基板当接部３３を含む。この主面３２には、光源アッセンブリ４０（図２参照）が固定される。図４は、光源アッセンブリ４０の斜視図である。また、図５は、光源アッセンブリ４０から固定レンズ４８及びレンズ取付部材５０を取り外した状態を示す斜視図であり、光源４３が視認可能になっている状態を示す斜視図である。
【００１４】
図４に示すように、光源アッセンブリ４０は、光源モジュール４１、基板ホルダ４５、固定レンズ４８、レンズ取付部材５０を備える。光源モジュール４１は、平面視が略矩形の基板４２を有し、基板ホルダ４５は、基板４２の平面視形状に対応する形状の開口を光出射側に有する基板固定凹部を有する。図５に示すように、光源モジュール４１は、基板４２と、光源４３を有する。基板４２は、平面視で略矩形の形状を有し、光源４３は、円板状の形状を有し、基板４２の実装面の略中央に配設される。
【００１５】
例えば、光源４３が光出射側に位置するように光源モジュール４１を光出射側から基板固定凹部４６に挿入する。その後、図４を参照して、固定レンズ４８をその本体部４８ａが光源４３の光出射側を覆うように配置した後、固定レンズ４８を円環状部５０ａと取付部５０ｂを有するレンズ取付部材５０に対して位置決めする。その後、基板ホルダ４５のレンズ位置決め部（図示せず）対しても固定レンズ４８を位置決めすると共に、基板ホルダ４５において光出射側に延びる係止部４５ａにレンズ取付部材５０の取付部５０ｂを係止して固定する。その固定で、光源モジュール４１、基板ホルダ４５、固定レンズ４８、及びレンズ取付部材５０が、一体に統合され、光源アッセンブリ４０が構成される。
【００１６】
光源アッセンブリ４０は、そのねじ孔５５、及び筐体３０の主面３２に設けられたねじ孔３５（図３参照）を用いて主面３２に固定され、筒状部３１内に配置される。なお、この固定は、ボルトを、基板保持部材（図示せず）のねじ孔、光源アッセンブリ４０のねじ孔５５、主面３２のねじ孔３５にその順に締め込むことで実行される。基板保持部材は、基板４２の光出射側の面の周縁部における一部を光出射側とは反対側に押圧する。光源アッセンブリ４０が、主面３２に固定された状態で、基板４２の光出射側とは反対側の面が基板当接部３３（図３参照）と接触することで光源４３で発生した熱の熱引きを効率的に実行できる。
【００１７】
固定レンズ４８は、アクリル、ポリカーボネート、シリコーン等の透明樹脂材料、又は、ガラス材料によって形成されると好ましく、耐熱性が高い透光性材料、例えば、シリコーン材料やガラスで構成されると更に好ましい。固定レンズ４８は、光源４３から出射された出射光が径方向に広がることを抑制し、仮に固定レンズ４８が存在しなければ、後述する移動レンズ６３（図８参照）のＺ方向位置によっては生じることがある中落現象、すなわち、出射光の中心位置が暗くなる現象を抑制するため等に設けられる。なお、固定レンズ４８及びレンズ取付部材５０は、存在しなくてもよい。
【００１８】
次に、図５を参照して、光源モジュール４１について更に詳細に説明する。光源モジュール４１は、例えば、ＣＯＢ（Chip On Board）構造を有し、光源４３は、基板４２に実装された複数のＬＥＤ（light emitting diode）と、複数のＬＥＤを封止する封止部材を含む。
【００１９】
基板４２は、例えば、セラミックス基板、樹脂基板、又はメタルベース基板等で構成される。詳述しないが、基板４２には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００２０】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板４２にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール４１が白色光を出射し、ＬＥＤが青色光を発光する青色ＬＥＤチップである場合、蛍光体粒子は、例えばＹＡＧ系の黄色蛍光体で構成される。
【００２１】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子で構成されてもよく、半導体レーザ素子や、有機ＥＬ（Electro Luminescence）素子若しくは無機ＥＬ素子等の固体発光素子等で構成されてもよい。又は、光源は、白熱灯や蛍光灯で構成されてもよい。
【００２２】
次に、移動レンズアッセンブリ６０の構造について詳細に説明する。図６は、移動レンズアッセンブリ６０の斜視図であり、図７は、移動レンズアッセンブリ６０の主要部の分解斜視図である。図６及び図７に示すように、移動レンズアッセンブリ６０は、光学ブロック６１、及び筒構造６５を備える。光学ブロック６１は、レンズホルダ６２、及び光学部材の一例としての移動レンズ６３を有する。また、筒構造６５は、筒状部材６４、及びリング部材６７を有する。
【００２３】
先ず、光学ブロック６１について説明する。図８は、光学ブロック６１の分解斜視図であり、レンズホルダ６２と、移動レンズ６３を示す拡大斜視図である。図８に示すように、レンズホルダ６２は、環状部材であり、その内周面６２ａからＲ方向内方に突出する複数の突出部６２ｂを含む。複数の突出部６２ｂは、θ方向に間隔をおいて位置する。他方、移動レンズ６３は、外周縁部６３ａにＲ方向内方に窪む複数の嵌合凹部６３ｂを含み、複数の嵌合凹部６３ｂは、θ方向に間隔をおいて位置する。レンズホルダ６２の各突出部６２ｂを、移動レンズ６３の各嵌合凹部６３ｂに、圧入等で嵌め込むことで、移動レンズ６３をレンズホルダ６２に固定する。
【００２４】
移動レンズ６３は、例えば、アクリル、ポリカーボネート、又はシリコーン等の透明樹脂材料、又は、ガラス材料によって形成されることができる。また、図８に示すように、レンズホルダ６２は、Ｒ方向外方の外面がＲ方向内方側に凹の凹面６２ｅになっている複数の柱状部６２ｃを含み、複数の柱状部６２ｃは、θ方向に間隔をおいて位置している。この柱状部６２ｃの役割については後で説明する。
【００２５】
次に、筒構造６５について説明する。図９は、筒構造６５の斜視図である。図９に示すように、筒状部材６４は、筒状部としての円筒部６４ａと、円筒部６４ａと一体に成形される操作部６９を含む。円筒部６４ａは、θ方向に間隔をおいて位置すると共にＲ方向に延在する複数の貫通孔６４ｂを含む。また、操作部６９は、フランジ形状（円板形状）を有し、筒状部材６４の光出射側の端部に位置する。操作部６９の外周面は、人が掴んで操作部６９を回転させるための把持部６９ａになっている。操作部６９の役割については後で説明する。
【００２６】
図１０は、リング部材６７の平面図である。図１０に示すように、リング部材６７は、θ方向に延在する３以上の円弧状部６７ａと、２以上の凸部６７ｂを含み、各凸部６７ｂは、３以上の円弧状部６７ａにおいてθ方向に隣り合う一対の端部間を連結すると共に略Ｕ字形状を有して円弧状部６７ａからＲ方向の外方に突出する。
【００２７】
リング部材６７は、θ方向の一箇所に間隙６７ｃが存在する形状を有する。より詳しくは、リング部材６７は、Ｃ型リングとの比較において間隔をおいて径方向の外方側に突出するＵ字状の凸部６７ｂが設けられた点のみが違う形状を有する。なお、この明細書では、Ｕ字形状を、対向配置される柱部（必ずしも平行に配置されなくてもよい）と、各柱部の片側端部同士を連結する連結部を有する構造の形状とする。
【００２８】
リング部材６７は、ばね性に富んだ材質で構成されるだけでなく、θ方向の一箇所に間隙６７ｃが存在する形状を有するので、その弾性によりＲ方向内側に縮径するように変形し易い。リング部材６７をＲ方向内側に縮径するように変形させた状態で筒状部材６４の内側に収容し、図９に示すように、各凸部６７ｂを筒状部材６４の内側から貫通孔６４ｂに嵌め込む。このようにして、リング部材６７を筒状部材６４に固定する。リング部材６７が筒状部材６４に固定された状態で凸部６７ｂの先端側は、貫通孔６４ｂからＲ方向外方側に突出し、結果として円筒部６４ａからＲ方向外方側に突出する。凸部６７ｂにおいて円筒部６４ａからＲ方向外方側に突出している部分は、突出部７０を構成する。
【００２９】
図８に示すように、レンズホルダ６２は、外周側に２つの嵌合爪６２ｄを有する。嵌合爪６２ｄは、嵌合部の一例である。２つの嵌合爪６２ｄは、Ｒ方向に対向するように配置され、各嵌合爪６２ｄは、Ｚ方向に対向する一対の傾斜面を有する板形状を有し、各傾斜面は、Ｚ方向に対して傾斜する方向に延在する。なお、嵌合部が嵌合爪６２ｄである場合について説明したが、嵌合部は円柱形状（ピン形状）でもよい。
【００３０】
一方、図９に示すように、筒状部材６４は、略円筒状の部材であり、θ方向に間隔をおいて配置される２つの傾斜溝６４ｃを有する。傾斜溝６４ｃは、螺旋溝の一部からなる形状を有する。傾斜溝６４ｃは、Ｚ方向に対して傾斜し、θ方向一方側に行くにしたがって筒状部材６４のＺ方向下側からＺ方向上側まで延在する。傾斜溝６４ｃは、筒状部材６４を厚さ方向に貫通する細長い長孔形状の貫通孔の構造を有し、Ｚ方向に対向する一対の内壁面（傾斜面）を含む。
【００３１】
図６に示すように、光学ブロック６１においてＲ方向外方に突出する嵌合爪６２ｄを、筒状部材６４の傾斜溝６４ｃに嵌合させることで、光学ブロック６１と筒構造６５が一体に統合され、移動レンズアッセンブリ６０が構成される。嵌合爪６２ｄは、傾斜溝６４ｃ内を傾斜溝６４ｃの延在方向に移動可能になっている。光学ブロック６１が、図６に示す状態から筒状部材６４に対してθ１に示す方向に相対回転すると、移動レンズ６３が筒状部材６４に対してＺ方向の光出射側に移動する。このように、傾斜溝６４ｃ内における嵌合爪６２ｄの存在位置を調整することで、筒状部材６４に対する移動レンズ６３のＺ方向位置を調整できる。
【００３２】
図２を再度参照して、フード９５は、光出射側とは反対側にＲ方向外方に広がる円環状のフランジ部９５ａを有する。また、図示しないが、筒状部材６４は、Ｒ方向内側にＲ方向内側に広がる円環状のフランジ部を有する。詳述しないが、フランジ部９５ａを筒状部材６４のフランジ部の光出射側とは反対側の端面に当接させ、フード９５の外周面の光出射側とは反対側の一部を筒状部材６４に固定されたリング状の付勢部材でＲ方向内方側に押圧することでフード９５を筒状部材６４に脱落不可能に係止する。
【００３３】
次に、筐体３０に対する移動レンズアッセンブリ６０の取付構造について説明する。図１１は、筐体３０の光出射側の端部を表す斜視図であり、図１２は、筐体３０の光出射側の端部の一部の断面図である。図１１及び図１２に示すように、筐体３０の内周面３６は、複数の傾斜凹部３６ａと、凹部の一例としての環状溝３６ｂを有する。傾斜凹部３６ａは、筐体３０の光出射側の端から光源４３側に行くにしたがってＲ方向内方側に傾斜する傾斜面３６ｃを有する。
【００３４】
図１２に示すように、傾斜凹部３６ａのＺ方向の光源４３側の端は、円筒内周面部３６ｄに繋がり、環状溝３６ｂと傾斜凹部３６ａは、円筒内周面部３６ｄを介して繋がっている。なお、本実施例では、環状溝３６ｂと傾斜凹部３６ａは、円筒内周面部３６ｄを介して繋がっているが、傾斜凹部の最小内径が、環状溝の底の外径よりも小さければよく、傾斜凹部は、環状溝に直接つながっていてもよい。また、筐体３０の内周面３６が、環状溝３６ｂを有する場合について説明した。しかし、筐体の内周面は、Ｚ方向の同じ位置に形成された複数の周方向に延在する非環状の周方向延在溝を有してもよい。
【００３５】
図１３を参照して、複数の凸部６７ｂの先端部で構成される複数の突出部７０が存在するθ方向の範囲が複数の傾斜凹部３６ａが存在するθ方向の範囲に含まれるように筒構造６５を筐体３０のＺ方向の片側に配置可能になっている。また、図１０にＲａで示すリング部材６７に外力が作用していない状態における凸部６７ｂの最大外径は、図１２にＲｃで示す傾斜凹部３６ａの最大内径よりも小さくなっており、図１２にＲｅで示す傾斜凹部３６ａの最小内径（円筒内周面部３６ｄの内径と同一）よりも大きくなっている。また、凸部６７ｂの最大外径Ｒａは、環状溝３６ｂの最大内径（底の内径）Ｒｄと同一か、又は当該最大内径Ｒｄよりも僅かに大きくなっている。また、環状溝３６ｂのＺ方向寸法は、リング部材６７の軸方向厚さよりも僅かに大きくなっている。
【００３６】
再度、図１３を参照して、上述のように、各突出部７０の周方向位置が、傾斜凹部３６ａの周方向位置に含まれる状態、かつ、移動レンズアッセンブリ６０の中心軸が筐体３０の中心軸に略一致している嵌込準備状態とできる。また、リング部材６７は、弾性に富み、Ｒ方向内側に縮径するように変形し易い。よって、上記嵌込準備状態で筒構造６５を筐体３０に対して矢印Ａで示す光出射側とは反対側に相対移動させると、突出部７０を傾斜凹部３６ａに円滑に挿入でき、その後、各突出部７０を、縮径するように変形させることができる。そして、図１４、すなわち、照明装置１の一部の模式断面図に示すように、各突出部７０を、円筒内周面部３６ｄ（図１２参照）を乗り越えさせた後に、環状溝３６ｂ内に円滑に嵌り込ませることができる。
【００３７】
凸部６７ｂの最大外径Ｒａが、環状溝３６ｂの最大内径（底の内径）Ｒｄと同一か、又は当該最大内径Ｒｄよりも僅かに大きくなっているので、凸部６７ｂが環状溝３６ｂから抜け出ることはない。したがって、移動レンズアッセンブリ６０が筐体３０から離脱することを防止でき、移動レンズアッセンブリ６０を筐体３０と統合することができる。更には、環状溝３６ｂのＺ方向寸法がリング部材６７の軸方向厚さよりも僅かに大きくなっているので、リング部材６７のＺ方向位置が殆ど変化せず、ひいては、筒構造６５のＺ方向位置も殆ど変化することがない。また、図１に示すように、移動レンズアッセンブリ６０が筐体３０に統合された状態で、筒構造６５の操作部６９が、筐体３０から外部に露出し、人が把持部６９ａを掴むことができるようになっている。
【００３８】
更には、筐体３０に対する移動レンズアッセンブリ６０の嵌め込みは、光学ブロック６１のθ方向の相対移動を制限するように実行する。詳しくは、図３に示すように、筐体３０は、内周面３８からＲ方向内方側に突出すると共にθ方向に間隔をおいて配置される柱部３９を有し、そのＲ方向内方側の端面は、Ｒ方向内方側に凸の凸面３９ａとなっている。また、上述のように、図８を参照して、レンズホルダ６２は、Ｒ方向外方の外面がＲ方向内方側に凹の凹面６２ｅになっている複数の柱状部６２ｃを含み、複数の柱状部６２ｃは、θ方向に間隔をおいて位置している。移動レンズアッセンブリ６０を筐体３０に嵌め込む際、レンズホルダ６２の各凹面６２ｅを筐体３０の凸面３９ａに係止する。この係止により、レンズホルダ６２が筐体３０に対してθ方向に相対移動することを防止でき、ひいては、レンズホルダ６２に固定された移動レンズ６３が筐体３０に対してθ方向に相対移動することを防止できる。
【００３９】
上記構成において、人が把持部６９ａを用いて筐体３０に対して筒構造６５を回転させたとする。すると、光学ブロック６１が、その柱状部６２ｃの凹面６２ｅにおける筐体３０の柱部３９の凸面３９ａへの係止によって筐体３０に対して回転できない状態となっているため、筒構造６５の回転と共に連れ回りすることがなく、筒構造６５が、光学ブロック６１に対して相対回転する。したがって、この相対回転によって、嵌合爪６２ｄが、傾斜溝６４ｃ内を移動し、その結果、光学ブロック６１が筒構造６５に対してＺ方向に相対移動する。よって、上述のように、筒構造６５が回転しても、筒構造６５のＺ方向位置が殆ど変化しないので、光学ブロック６１のＺ方向位置を自在に変動させることができる。したがって、光学ブロック６１に含まれる移動レンズ６３のＺ方向位置も自在に変動させることができるので、光源モジュール４１に対する移動レンズ６３のＺ方向位置を適切に調整でき、出射光の狭角制御を実行できる。更には、凸部６７ｂの最大外径Ｒａが、環状溝３６ｂの最大内径Ｒｄと同一か、又は当該最大内径Ｒｄよりも僅かに大きくなっているので、僅かな摩擦力が、環状溝３６ｂと凸部６７ｂの間に作用する。したがって、移動レンズ６３が適切なＺ方向位置に設定されて、筒構造６５が筐体３０に対して静止すると、筒構造６５が筐体３０に対してθ方向に相対移動することがなく、移動レンズ６３のＺ方向位置が変動することを防止できる。
【００４０】
以上、照明装置１は、環状溝（凹部）３６ｂを有する内周面を含む筐体３０と、筐体３０内に配置される光源４３を備える。また、照明装置１は、円筒部（筒状部）６４ａ、及びＲ方向（径方向）に弾性変形可能であって円筒部６４ａからＲ方向外方に突出して環状溝３６ｂに嵌り込んでいる１以上の突出部７０を有する筒構造６５を備える。筒構造６５の少なくとも一部は、筐体３０内に収容される。
【００４１】
したがって、円筒部６４ａからＲ方向外方に突出する各突出部７０が、Ｒ方向（径方向）に弾性変形可能であるので、突出部７０をＲ方向内方側に歪ませるように変形させてＺ方向の環状溝３６ｂの存在位置まで円滑に移動させることができる。また、突出部７０が環状溝３６ｂの存在位置に到達した後、突出部７０の弾性エネルギーを開放するように突出部７０を拡径させることができ、突出部７０を環状溝３６ｂ内に円滑に収容させることができる。したがって、筐体３０を分割構造にしなくても、突出部７０を環状溝３６ｂ内に円滑に収容でき、筒構造６５のＺ方向位置が略変わらず、かつ、筐体３０に対する筒構造６５のθ方向の相対回転が可能な構造を格段に容易に実現できる。よって、筐体３０に筒構造６５を円滑に保持させ易くて、筐体３０に対する筒構造６５の落下防止を容易に実現でき、施工性を大きく向上できる。
【００４２】
また、筒構造６５は、Ｒ方向に延びる２以上の貫通孔６４ｂを有する筒状部材６４と、θ方向の一箇所に間隙が存在するリング部材６７を有してもよい。また、リング部材６７は、θ方向に延在する３以上の円弧状部６７ａ、及び３以上の円弧状部６７ａにおいてθ方向に隣り合う一対の端部間を連結すると共に略Ｕ字形状を有して円弧状部６７ａからＲ方向外方に突出する２以上の凸部６７ｂを含んでもよい。そして、各凸部６７ｂが、貫通孔６４ｂを突き抜けてもよく、突出部７０が、凸部６７ｂにおいて貫通孔６４ｂからＲ方向外方側に突出している部分に含まれてもよい。
【００４３】
上記構成によれば、筒構造６５が、筒状部材６４と、リング部材６７を含んでいるので、リング部材６７を筒状部材６４から分離させることができ、リング部材６７を筒状部材６４から外すことができる。照明装置１は、後で出射光の変更が所望される場合があり、光源４３の取り換えが所望される場合がある。このようなとき、図９を参照して、円弧状部６７ａと筒状部材６４の内周面との間に工具等を挿入して、円弧状部６７ａにＲ方向内方側の力を付与することで、リング部材６７を筒状部材６４から外すことができる。よって、照明装置１を破壊せずに、光源４３を取り換えることができ、照明装置１の利便性を向上できる。
【００４４】
また、筐体３０が、光源側とは反対側の端からＺ方向の光源側に行くにしたがってＲ方向の内方側に傾斜する傾斜面３６ｃを有する１以上の傾斜凹部３８ａを有してもよい。そして、１以上の突出部７０が存在するθ方向の範囲が１以上の傾斜凹部３８ａが存在するθ方向の範囲に含まれるように筒構造６５を筐体３０のＺ方向の片側に配置可能でもよい。
【００４５】
上記構成によれば、突出部７０を、傾斜凹部３８ａを介して筐体３０内に挿入できる。したがって、突出部７０を、その外径を徐々に縮径するように円滑に縮めることができる。よって、突出部７０を環状溝３６ｂに円滑に収容でき、照明装置１の組立の作業性を良好なものにできる。
【００４６】
また、外力が作用していない状態の突出部７０の最大外径Ｒａ（凸部６７ｂの最大外径に一致）は、傾斜凹部３６ａの最大内径Ｒｃよりも小さくてもよく、傾斜凹部３６ａの最小内径Ｒｅよりも大きくてもよい。
【００４７】
上記構成によれば、上記最大外径Ｒａが、傾斜凹部３６ａの最大内径Ｒｃよりも小さいので、突出部７０を円滑に傾斜凹部３６ａに挿入できる。また、上記最大外径Ｒａが、傾斜凹部３６ａの最小内径Ｒｅよりも大きいので、突出部７０を環状溝３６ｂ内に収容した後、突出部７０が筐体３０内から離脱することを確実に防止できる。
【００４８】
また、外力が作用していない状態の突出部７０の最大外径Ｒａが、筐体３０の環状溝３６ｂにおける最大内径Ｒｄ以上でもよい。
【００４９】
上記構成によれば、突出部７０と環状溝３６ｂとの間に摩擦力が生じる。したがって、移動レンズ６３のＺ方向位置を決定した後に、移動レンズ６３が環状溝３６ｂに対して相対回転することを略防止できる。よって、移動レンズ６３のＺ方向位置を決定した後に、移動レンズ６３のＺ方向位置が変動することを略防止でき、所望の出射光の狭角制御を実行できる。
【００５０】
なお、上記実施形態とは異なり、外力が作用していない状態の突出部の最大外径が、筐体の凹部における最大内径よりも小さくしてもよい。この変形例によれば、突出部が筐体の凹部から力を受けないようにでき、突出部が凹部との接触で劣化することを防止できる。よって、突出部の耐久性を上げることができ、照明装置１の寿命を長くできる。
【００５１】
また、照明装置１は、筒構造６５に保持されている移動レンズ（光学部材）６３を備えてもよい。
【００５２】
上記構成によれば、移動レンズ６３を筐体に円滑に取り付けできる。なお、光学部材が、移動レンズ６３である場合について説明したが、光学部材は、透光性を有する材料で構成されると共にレンズ機能を有さない透光性カバー等でもよい。また、移動レンズ６３をレンズホルダ６２に固定し、レンズホルダ６２を筒構造６５に保持させる場合について説明したが、レンズホルダを省略して、レンズを筒構造に直接保持させる構成でもよい。又は、筒構造は、光学部材を保持していなくてもよい。
【００５３】
また、照明装置１は、移動レンズ６３を含む光学ブロック６１を備えてもよい。また、筐体３０に設けられる凹部が、θ方向に延在する環状溝３６ｂであって、突出部７０の環状溝３６ｂ内でのθ方向の位置が変動可能でもよい。また、筒構造６５が、Ｚ方向の位置が略変わらずに筐体３０に対して回転可能になっていてもよい。また、光学ブロック６１は、筐体３０に対する相対回転が制限されていてもよい。また、筒構造６５は、Ｚ方向に対して傾斜する傾斜溝６４ｃを有してもよい。そして、光学ブロック６１は、傾斜溝６４ｃに嵌り込んで筒構造６５が筐体３０に対して回転すると傾斜溝６４ｃ内における存在位置が変動する嵌合爪（嵌合部）６２ｄを有してもよい。
【００５４】
上記構成によれば、筒構造６５のＺ方向位置を略変動させずに、移動レンズ６３のＺ方向位置を自在に変動させることができる。したがって、照明装置１のＺ方向寸法を変えずに出射光の狭角制御を実行できるので、出射光の狭角制御を実行できるだけでなく、照明装置１の美観も良好なものにできる。
【００５５】
なお、レンズを含む光学ブロックは、筐体に対して相対回転可能でもよく、筒構造は、Ｚ方向に対して傾斜する傾斜溝を有さなくてもよい。また、光学ブロックは、傾斜溝に嵌り込んで筒構造が筐体に対して回転すると傾斜溝内における存在位置が変動する嵌合部を有さなくてもよい。照明装置には、レンズの回転制御で配光を変更できるものが存在する。この変形例によれば、そのような照明装置を、筐体を分割構造にしなくても容易に実現できる。
【００５６】
なお、本開示は、上記実施形態およびその変形例に限定されるものではなく、本願の特許請求の範囲に記載された事項およびその均等な範囲において種々の改良や変更が可能である。
【００５７】
例えば、上記実施形態では、筒構造６５が、筒状部を含む筒状部材６４、及び突出部を含むリング部材６７を備える場合について説明したが、筒状部と突出部が共に筒状部材に含まれる構成でもよい。
【００５８】
より詳しくは、図１５、すなわち、変形例の筒状部材１６４の斜視図に示すように、一体の筒状部材１６４が、筒状部１６９及び突出部１７０を含む筒構造１６５を含んでいてもよい。また、筒状部１６９は、θ方向に延在する貫通孔１６９ａを有してもよい。また、筒状部材１６４には、筒状部１６９から突出すると共にＲ方向から見たときに先端部１７７が貫通孔１６９ａに重なる周方向突出部１７５が含まれてもよい。そして、突出部１７０が、先端部１７７に含まれてもよい。
【００５９】
筒状部材１６４は、弾性を有する樹脂材料で構成されると好ましい。本変形例によれば、周方向突出部１７５が、筒状部１６９からθ方向に延在する貫通孔１６９ａの方に延びているので、周方向突出部１７５をＲ方向内方側に撓ませるように変形させることができる。したがって、突出部１７０を径方向に円滑に弾性変形させることができる。
【００６０】
本変形例においても、図１６に示すように、突出部１７０のθ方向の延在位置を筐体３０の傾斜凹部１３６ａの存在位置に一致させた状態で筒状部材１６４を筐体３０のＺ方向の光出射側に配置する。そして、筒状部材１６４を筐体３０に対して矢印Ｂで示す光出射側とは反対側に相対移動させることで、図１３に示す実施形態と同様に、突出部１７０を傾斜凹部１３６ａに円滑に挿入でき、その後、環状溝３６ｂ（図１１参照）に円滑に挿入できる。
【００６１】
また、上記実施形態では、筐体３０に設ける凹部が、周方向に延在する溝であって、筒構造６５が筐体３０に対して相対回転可能な場合について説明した。しかし、筐体に設ける凹部は、周方向に延在していなくてもよく、筒構造は筐体に対して相対回転不可能でもよい。この場合でも、従来技術で説明した構造とは異なり、筒構造を、ねじを用いずに筐体に固定できる。したがって、筒構造を筐体に格段に容易に固定でき、施工性を格段に向上できる。
【符号の説明】
【００６２】
１  照明装置、  ３０  筐体、  ３６ｂ  環状溝、  ３６ｃ  傾斜面、  ３８ａ  傾斜凹部、  ４３  光源、  ６１  光学ブロック、  ６２  レンズホルダ、  ６２ｄ  嵌合爪（嵌合部）、  ６３  移動レンズ（光学部材）、  ６４,１６４  筒状部材、  ６４ａ  円筒部（筒状部）、  ６４ｂ  貫通孔、  ６４ｃ  傾斜溝、  ６５,１６５  筒構造、  ６７  リング部材、  ６７ａ  円弧状部、  ６７ｂ  凸部、  ７０  突出部、  １６９  筒状部、  １６９ａ  周方向に延在する貫通孔、  １７０  突出部、  １７５  周方向突出部、  １７７  先端部、  Ｒａ  外力が作用していない状態の突出部の最大外径、  Ｒｃ  傾斜凹部の最大内径、  Ｒｄ  筐体の環状溝における最大内径、  Ｒｅ  傾斜凹部の最小内径、  Ｒ方向  筐体の径方向、  θ方向  筐体の周方向、  Ｚ方向  光軸方向。
【図１】
2020123531.tif 000003
【図２】
2020123531.tif 000004
【図３】
2020123531.tif 000005
【図４】
2020123531.tif 000006
【図５】
2020123531.tif 000007
【図６】
2020123531.tif 000008
【図７】
2020123531.tif 000009
【図８】
2020123531.tif 000010
【図９】
2020123531.tif 000011
【図１０】
2020123531.tif 000012
【図１１】
2020123531.tif 000013
【図１２】
2020123531.tif 000014
【図１３】
2020123531.tif 000015
【図１４】
2020123531.tif 000016
【図１５】
2020123531.tif 000017
【図１６】
2020123531.tif 000018